(57)【要約】      （修正有）【課題】連続作動モード（ガス抜きモード，内容物連続噴射モード）設定機能を持つカバー体の上面側のデザイン上の制約をなくし、また、連続作動モードの設定操作の簡単化を図る。【解決手段】通常の正立状態でマウンティングキャップ２に取り付けられたカバー体５の上側開口域５ｃに、通常とは上下を逆にした操作ボタン４を入れていく。このとき、操作ボタン４の一対の被ガイド部４ｄがカバー体５の一対の垂下状部５ｆにいったん仮止めされる。仮止め後の操作ボタン，カバー体などのエアゾール容器全体を上下逆にしてから操作ボタン側を地面などの平面部分に押し付けてステム３の方にさらに押し込み、操作面４ｃでステム３を作動モード位置までシフトさせる。シフト後のガス抜きモードは、被ガイド部４ｄがカバー体５の一対の係止面５ｊに係合することにより自己保持される。【選択図】図３
2007302338.tif 000002
【特許請求の範囲】
【請求項１】
ステムと係合してエアゾール式製品を静止モードから通常の作動モードに設定するための操作ボタンと、容器側に取り付けられて操作用開口域を備えたカバー体との間の保持作用により、当該操作ボタンがその連続作動モードに設定されるようにした連続作動モード設定機構において、
前記操作ボタンは、前記ステムとの係合時とは上下逆でその天面部分が前記操作用開口域の内方のステム側となる状態で、前記カバー体に係止される被係止部を備え、
前記カバー体は、前記操作ボタンの被係止部に対応した係止部を備え、
前記保持作用は、静止モードおよび通常の作動モードと同じ上下関係で容器側に取り付けられた前記カバー体の係止部と、前記天面部分が前記ステムに当接してこれを押した状態の前記操作ボタンの被係止部と、の間の作用である、
ことを特徴とする連続作動モード設定機構。
【請求項２】
前記操作ボタンが連続作動モードに設定されるときその被係止部は前記カバー体のガイド部分に案内され、
前記カバー体の係止部は前記ガイド部分の一部に形成されている、
ことを特徴とする請求項１記載の連続作動モード設定機構。
【請求項３】
前記カバー体は、
前記係止部の上方部分に、連続作動モードに設定される前の前記操作ボタンを仮止めできる保持部を備えている、
ことを特徴とする請求項１または２記載の連続作動モード設定機構。
【請求項４】
前記カバー体の係止部および前記操作ボタンの被係止部の中の一方の構成要素は、
前記操作ボタンが連続作動モードに設定されるとき、前記係止部および前記被係止部の中の他方の構成要素との押圧作用に基づいていったん自弾性に抗しながら変形し、この押圧作用段階が終ることにより自弾性で元の状態に復帰して当該他方の構成要素との係止状態に移行する機能を備えたものである、
ことを特徴とする請求項１乃至３のいずれかに記載の連続作動モード設定機構。
【請求項５】
請求項１乃至４のいずれかに記載の連続作動モード設定機構を備え、かつ、噴射用ガスおよび内容物を収容した、
ことを特徴とするエアゾール式製品。
【請求項６】
ステムと係合してエアゾール式製品を静止モードから通常の作動モードに設定するための操作ボタンと、容器側に取り付けられて操作用開口域を備えたカバー体との間の保持作用により、当該操作ボタンがその連続作動モードに設定されるようにした連続作動モード設定方法において、
前記カバー体および前記操作ボタンを、それぞれ前記容器側および前記ステムから取り外して別々にし、
その後、
前記カバー体を前記容器側に再び取り付け、
前記操作ボタンを前記ステムとの係合時とは上下逆にした状態で前記操作用開口域に押し込み、当該操作ボタンの被係止部を前記カバー体の係止部に保持することにより、前記ステムが当該操作ボタンの天面部分で押圧されて作動モード対応位置に移動した連続作動モードを設定する、
ことを特徴とするエアゾール式製品の連続作動モード設定方法。
【請求項７】
ステムと係合してエアゾール式製品を静止モードから通常の作動モードに設定するための操作ボタンと、容器側に取り付けられて操作用開口域を備えたカバー体との間の保持作用により、当該操作ボタンがその連続作動モードに設定されるようにした連続作動モード設定方法において、
前記カバー体を前記容器側に取り付けたまま、前記操作用開口域に配されている前記操作ボタンを前記ステムから取り外し、
その後、
前記操作ボタンを前記ステムとの係合時とは上下逆にした状態で前記操作用開口域に押し込み、当該操作ボタンの被係止部を前記カバー体の係止部に保持することにより、前記ステムが当該操作ボタンの天面部分で押圧されて作動モード対応位置に移動した連続作動モードを設定する、
ことを特徴とするエアゾール式製品の連続作動モード設定方法。
【発明の詳細な説明】
【技術分野】
【０００１】
本発明は、エアゾール式製品に用いられる連続作動モード設定機構などに関し、特にエアゾール式製品をその静止モードまたは作動モードに設定する例えば上下動タイプの操作ボタンをその連続作動モード位置に簡単，確実に継続して保持できる、すなわちエアゾール式製品をガス抜き状態または内容物連続噴射状態の連続作動モードに設定できるようにしたものである。
【０００２】
本明細書では、
・「作動モード」の語を、操作ボタンに対する利用者の噴射操作といわば１対１の対応関係にたつ内容物噴射状態（エアゾール容器のバルブが開いて容器内部と外部空間とが連通した状態）を示す意で用い、
・「連続作動モード」の語を、利用者の噴射操作終了後もその操作ボタンがそれまでの操作位置に自己保持されたままとなって、ガス，内容物などが続けて噴射される連続噴射状態を示す意で用い、
・「静止モード」の語を、エアゾール容器のバルブが閉じて容器内部と外部空間とが連通していない状態を示す意で用い、
・「カバー体」の語を、エアゾール容器本体（マウンティングキャップなど）に取り付けられて、エアゾール容器の作動モードにおいても取り外されることのないタイプのカバー部材を示す意で用いる。
【０００３】
また、通常の作動モードにおける容器内容物の噴射孔の側を「前」とし、それとは容器平面図の中心を挟んで反対の側を「後」とする。すなわち図３の左側方向が「前」で、右側方向が「後」となる。上，下は静止モードや作動モードにおける位置関係をいう。
【０００４】
なお、エアゾール式製品の連続作動モードが設定された場合、容器内容物をまだ使い切っていないときは内容物連続噴射状態となり、容器内容物を略使い切っているときはガス抜き状態となる。
【０００５】
内容物連続噴射状態とガス抜き状態とはもっぱら用途上の違いにすぎず、エアゾール式製品の動作機構としては、これら各状態ともにアクチュエータ（操作部材，ステムなど）がその作動位置に継続的に保持されているものである。すなわち当該状態のそれぞれにおけるバルブ機構などの動作メカニズムの違いはない。
【０００６】
一般にガス抜きモードの設定は、使用済みエアゾール容器を廃棄するときに初めて必要となり、まだ容器に内容物が存在している通常の使用段階では不要なものである。
【０００７】
そのため、ガス抜きモード保持機構は、エアゾール式製品の通常の使用段階では内容物噴射動作の障害とならず、また利用者にとっていわば目障りにもならず、ガス抜きモードの設定操作自体は利用者が簡単に行えることが望ましい。
【０００８】
また、比較的長時間にわたってエアゾール式製品を連続噴射モードに設定する場合に、利用者がそのための操作自体を継続的に行わなくても済むことが望ましい。
【０００９】
このような連続作動モード位置への操作部材の設定はより正確であることが必要とされ、本発明はこのような要請にも応えるものである。
【背景技術】
【００１０】
従来、エアゾール容器のカバー体および、これから外れないように設けられた操作ボタン（操作ボタン）の両者を静止モード・作動モードでの使用時とは上下逆にした状態で、カバー体のもともとの上端側を容器本体側（マウンティングキャップ）に嵌合させることにより、操作ボタンの天面側でステムを作動モード対応位置まで押下げてエアゾール式製品のガス抜きモードを設定する操作ボタン装置が提案されている（特許文献１参照）。
【００１１】
この操作ボタン装置のカバー体は、その正立状態のみなならず倒立状態でも容器本体のマウンティングキャップに嵌合する。すなわち正立状態での嵌合により通常の静止・作動モードが設定され、倒立状態での嵌合によりガス抜きモードが設定される。
【００１２】
したがってカバー体は、下端側および上端側のそれぞれにマウンティングキャップ対応形状の嵌合部分を備えている。
【特許文献１】特開２００２−２９３３８８号公報
【発明の開示】
【発明が解決しようとする課題】
【００１３】
以上のエアゾール容器の操作ボタン装置の場合、利用者の操作対象域であるカバー体上面側にも、カバー体下端側のマウンティングキャップ嵌合用の環状突状部と同様の形状部分を作成することが前提になっている。
【００１４】
そのため、カバー体（上面側）のデザイン設計上の自由度がきわめて小さくなり、またエアゾール容器に組み込む前のカバー体保管作業の際などに作業者がその上下関係を瞬時に判断しにくいなどの問題点があった。
【００１５】
また、カバー体を容器本体側からいったん外し、その上下を逆にした倒立状態でマウンティングキャップに再嵌合させると必然的にガス抜きモードとなってしまい、カバー体の当該再嵌合下でのいわばガス抜き準備状態（＝倒立カバー体はマウンティングキャップに嵌合し、かつ、ステムはまだ操作ボタンで作動モード対応位置まで移動してない状態）を設定できず、ガス抜き操作の選択性，利便性にかけるという問題点があった。
【００１６】
そこで本発明では、カバー体と、（静止モード・作動モードとは）上下逆にした形で当該カバー体に係合する操作ボタンとのセットを、カバー体の正立状態で容器本体側に取り付け、そのときの操作ボタンの天面部分の押下げ作用でステムが作動モード対応位置に保持される（＝連続作動モードに設定される）ようにして、連続作動モード設定機能を持つカバー体（上面側）のデザイン上の制約をなくすことを目的とする。
【００１７】
また、上下逆にした操作ボタンを（例えばマウンティングキャップに再嵌合済みの）正立カバー体にいったん仮止めし、それから当該操作ボタンの天面側を平らな地面などに押し当てることにより当該操作ボタンが連続作動モード位置（作動モード対応位置）に設定されるようにして、連続作動モードへの移行に際しての利便化を図ることを目的とする。
【課題を解決するための手段】
【００１８】
本発明は、以上の課題を次のようにして解決する。
（１）ステム（例えば後述のステム３）と係合してエアゾール式製品を静止モードから通常の作動モードに設定するための操作ボタン（例えば後述の操作ボタン４，７）と、容器側（例えば後述のマウンティングキャップ２）に取り付けられて操作用開口域（例えば後述の開口域５ｃ，６ｃ，８ｂ）を備えたカバー体（例えば後述のカバー体５，６，８）との間の保持作用により、当該操作ボタンがその連続作動モード（ガス抜きモード，内容物連続噴射モード）に設定されるようにした連続作動モード設定機構において、
前記操作ボタンは、前記ステムとの係合時とは上下逆でその天面部分（例えば後述の操作面４ｃ，７ｃ）が前記操作用開口域の内方のステム側となる状態で、前記カバー体に係止される被係止部（例えば後述の一対の被ガイド部４ｄ，可動片部７ｄ）を備え、
前記カバー体は、前記操作ボタンの被係止部に対応した係止部（例えば後述の一対の係止片部５ｇ，突状部６ｈ，係止片部８ｇ）を備え、
前記保持作用は、静止モードおよび通常の作動モードと同じ上下関係で容器側に取り付けられた前記カバー体の係止部と、前記天面部分が前記ステムに当接してこれを押した状態の前記操作ボタンの被係止部と、の間の作用とする。
（２）上記（１）において、
前記操作ボタンが連続作動モードに設定されるときその被係止部は前記カバー体のガイド部分（例えば後述の一対のスリット５ｅ，溝状部６ｆ，スリット８ｅ）に案内され、
前記カバー体の係止部は前記ガイド部分の一部に形成された、ものとする。
（３）上記（１），（２）において、
前記カバー体は、
前記係止部の上方部分に、連続作動モードに設定される前の前記操作ボタンを仮止めできる保持部（例えば後述の一対の垂下状部５ｆ，上側凹状部６ｇ，垂下状部８ｆ）を備えた、ものとする。
（４）上記（１），（２），（３）において、
前記カバー体の係止部および前記操作ボタンの被係止部の中の一方の構成要素は、
前記操作ボタンが連続作動モードに設定されるとき、前記係止部および前記被係止部の中の他方の構成要素との押圧作用に基づいていったん自弾性に抗しながら変形し、この押圧作用段階が終ることにより自弾性で元の状態に復帰して当該他方の構成要素との係止状態に移行する機能を備えた、ものとする。
（５）ステムと係合してエアゾール式製品を静止モードから通常の作動モードに設定するための操作ボタンと、容器側に取り付けられて操作用開口域を備えたカバー体との間の保持作用により、当該操作ボタンがその連続作動モードに設定されるようにした連続作動モード設定方法において、
前記カバー体および前記操作ボタンを、それぞれ前記容器側および前記ステムから取り外して別々にし、
その後、
前記カバー体を前記容器側に再び取り付け、
前記操作ボタンを前記ステムとの係合時とは上下逆にした状態で前記操作用開口域に押し込み、当該操作ボタンの被係止部を前記カバー体の係止部に保持することにより、前記ステムが当該操作ボタンの天面部分で押圧されて作動モード対応位置に移動した連続作動モードを設定する。
（６）ステムと係合してエアゾール式製品を静止モードから通常の作動モードに設定するための操作ボタンと、容器側に取り付けられて操作用開口域を備えたカバー体との間の保持作用により、当該操作ボタンがその連続作動モードに設定されるようにした連続作動モード設定方法において、
前記カバー体を前記容器側に取り付けたまま、前記操作用開口域に配されている前記操作ボタンを前記ステムから取り外し、
その後、
前記操作ボタンを前記ステムとの係合時とは上下逆にした状態で前記操作用開口域に押し込み、当該操作ボタンの被係止部を前記カバー体の係止部に保持することにより、前記ステムが当該操作ボタンの天面部分で押圧されて作動モード対応位置に移動した連続作動モードを設定する。
【００１９】
このような構成からなる連続作動モード設定機構，連続作動モード設定方法および、当該連続作動モード設定機構を備えたエアゾール式製品を本発明の対象としている。
【発明の効果】
【００２０】
本発明は、このように、カバー体と、（静止モード・作動モードとは）上下逆にした形で当該カバー体に係合する操作ボタンとのセットを、カバー体の正立状態で容器本体側に取り付け、そのときの操作ボタンの天面部分の押下げ作用でステムが作動モード対応位置に保持される（＝連続作動モードに設定される）ようにしているので、連続作動モード設定機能を持つカバー体（上面側）のデザイン設計上の自由度を確保することができる。
【００２１】
また、上下逆にした操作ボタンを正立カバー体にいったん仮止めし、それから当該操作ボタンの天面側を平らな地面などに押し当てることにより当該操作ボタンが連続作動モード位置（作動モード対応位置）に設定されるようにしているので、連続作動モードの設定操作の簡単化を図ることができる。
【発明を実施するための最良の形態】
【００２２】
図１乃至図１５を用いて本発明を実施するための最良の形態を説明する。
【００２３】
これまでも繰り返し述べたように、本発明は、ガス抜きや内容物連続噴射といった連続作動モードの設定機構に関するものである。
【００２４】
この連続作動モード設定機構がガス抜きまたは内容物連続噴射の何れの状態で使用されているかということは、いわば利用者の意識の違いにすぎず、当該連続作動モード設定機構の動作メカニズム自体はいずれの使用状態でも同じである。
【００２５】
以下の説明では単なる説明の便宜上、必要に応じて、噴射用ガスを単に「ガス」と略記し、ガス抜きモードに設定する場合を前提とする。
【００２６】
なお、以下の「（噴射用）ガス」，「ガス抜き」の用語をそれぞれ「内容物」，「内容物連続噴射」に置き換えても個々の説明内容の妥当性が担保されるのは勿論である。
【００２７】
以下の説明では、カバー体に対する操作ボタンの関係について、通常の使用時とは上下のみを逆にして前後方向は反転させない状態を「倒立・非反転状態」といい、通常の使用時とは上下を逆にし、かつ前後方向も反転させた状態を「倒立・反転状態」という。
【００２８】
ここで図１〜図６は、カバー体および操作ボタンを容器本体などから取り外してカバー体は正立状態のまま容器本体に再嵌合させた上で、このカバー体に「倒立・非反転状態」の操作ボタンを取り付けるタイプのガス抜きモード設定機構（その１）を示している。
【００２９】
図７〜図９は、カバー体および操作ボタンを容器本体などから取り外してカバー体は正立状態のまま容器本体に再嵌合させた上で、このカバー体に「倒立・反転状態」の操作ボタンを取り付けるタイプのガス抜きモード設定機構（その２）を示している。
【００３０】
図１０〜図１５は、カバー体は容器本体に嵌合させたまま、ステムから取り外した操作ボタンを「倒立・非反転状態」の形でカバー体に再度取り付けるタイプのガス抜きモード設定機構（その３）を示している。
【００３１】
すなわち、
図１は、カバー体をマウンティングキャップのアンダーカット部分に嵌合させた状態の通常の静止モード（その１：操作ボタンの後面側）を示し、
図２は、図１のカバー体および操作ボタンを容器本体側（マウンティングキャップおよびステム）から取り外して別々にした段階を示し、
図３は、図２のカバー体をマウンティングキャップに再嵌合させて、操作ボタンを倒立・非反転状態に設定した段階（操作ボタンの側面側）を示し、
図４は、図３の操作ボタンをカバー体に仮止めした段階（操作ボタンの後面側）を示し、
図５は、図４の仮止め状態のエアゾール式製品を上下逆にして平らな地面などに押し付けたガス抜きモード（操作ボタンの後面側）を示し、
図６は、図５のガス抜きモードにおけるガスの噴射方向（操作ボタンの側面側）を示し、
図７は、図２のカバー体をマウンティングキャップに再嵌合させて、操作ボタンを倒立・反転状態に設定した段階（操作ボタンの側面側）を示し、
図８は、図７の設定段階に続く仮止め状態のエアゾール式製品（図示省略）を上下逆にして平らな地面などに押し付けたガス抜きモード（操作ボタンの前面側）を示し、
図９は、図８のガス抜きモードにおけるガスの噴射方向（操作ボタンの側面側）を示し、
図１０は、カバー体をマウンティングキャップのアンダーカット部分に嵌合させた状態の通常の静止モード（その２：操作ボタンの後面側）を示し、
図１１は、図１０の操作ボタンをステムから取り外す途中の段階（操作ボタンの後面側）を示し、
図１２は、図１０の操作ボタンをステムから取り外す途中の段階（操作ボタンの側面側）を示し、
図１３は、図１２の取り外し後の操作ボタンを倒立・非反転状態にしてカバー体に仮止めした段階（操作ボタンの後面側）を示し、
図１４は、図１３の仮止め状態のエアゾール式製品を上下逆にして平らな地面などに押し付けたガス抜きモード（操作ボタンの後面側）を示し、
図１５は、図１４のガス抜きモードにおけるガスの噴射方向（操作ボタンの側面側）を示している。
【００３２】
なお、以下のアルファベット付き参照番号の構成要素（例えば通路部分４ａ）は原則として、当該参照番号の数字部分の構成要素（例えば操作ボタン４）の一部であることを示している。
【００３３】
図１〜図１５において、
１は後述の内容物および噴射用ガスを収納したエアゾール式製品の容器本体，
２は容器本体１の開口端部側に取り付けられたマウンティングキャップ，
３は周知のバルブ機構（図示省略）の構成要素であるステム，
をそれぞれ示している。
【００３４】
また、図１〜図９において、
４はステム３に取り付けられて押圧操作により上下動するタイプの操作ボタン，
４ａは内容物や噴射用ガスの通路部分，
４ｂは当該通路部分に続く噴射孔，
４ｃは後方への下り傾斜となっている窪み状のスロープ面であって利用者が押圧する操作面，
４ｄは周面部分に形成された一対の凸状の被ガイド部，
５はマウンティングキャップ２の外端環状部分などに嵌合して操作ボタン４を保護するカバー体（図１〜図６で使用），
５ａはカバー体天面，
５ｂは正立状態の操作ボタン４の噴射孔４ｂに対応した前側の開口部，
５ｃは正立状態の操作ボタン４の操作面４ｃに対応した上側の開口域，
５ｄは操作ボタン４を取り囲む態様の内側筒状部，
５ｅは当該内側筒状部の下端から上端まで縦方向に形成されて操作ボタン４が通常の正立状態，ガス抜きモード用の倒立・非反転状態のいずれの場合にもその被ガイド部４ｄを案内する一対のスリット，
５ｆは当該スリットの上端側部分にカバー体天面５ａから続く態様で形成されて倒立状態の操作ボタン４の被ガイド部４ｄを仮止めする一対の垂下状部，
５ｇは当該垂下状部に続く下方に形成されて倒立状態の操作ボタン４の被ガイド部４ｄをガス抜きモード位置に係合して保持する一対の係止片部，
５ｈは当該係止片部の構成要素であって下方にいくほど内側となるテーパ面，
５ｊは当該係止片部の構成要素であって当該テーパ面の下端から略水平に延びる形の係止面，
６はマウンティングキャップ２の外端環状部分などに嵌合して操作ボタン４を保護するカバー体（図７〜図９で使用），
６ａはカバー体天面，
６ｂは正立状態の操作ボタン４の噴射孔４ｂの側に対応した前方の開口部，
６ｃは正立状態の操作ボタン４の操作面４ｃの側に対応した上側の開口域，
６ｄは操作ボタン４を取り囲む態様の内側筒状部，
６ｅは当該内側筒状部の下端から所定部分（図７参照）まで縦方向に形成されて正立状態の操作ボタン４の被ガイド部４ｄを案内する一対のスリット，
６ｆは当該内側筒状部の上端から所定部分（図７参照）まで縦方向に形成されて、倒立・反転状態の操作ボタン４の被ガイド部４ｄに対する仮止め機能やガス抜きモード保持機能を備えた溝状部，
６ｇは当該溝状部の上端側の構成要素であって被ガイド部４ｄをその外周面との当接状態で案内する上側凹状部，
６ｈは当該溝状部の当該上側凹状部に続く構成要素であって、仮止め操作時における被ガイド部４ｄの受け部分や、ガス抜きモードにおける被ガイド部４ｄの係止部分として作用する突状部，
６ｊは当該溝状部の当該突状部に続く構成要素であってガス抜きモードの被ガイド部４ｄ（の外周面）の係合保持部分として作用する下側凹状部，
をそれぞれ示している。
【００３５】
また、図１０〜図１５において、
７はステム３に取り付けられて押圧操作により上下動するタイプの操作ボタン，
７ａは内容物や噴射用ガスの通路部分，
７ｂは当該通路部分に続く噴射孔，
７ｃは後方への下り傾斜となっている窪み状のスロープ面であって利用者が押圧する操作面，
７ｄは周面部分に形成された被係止用の一対の可動片部，
７ｅは当該可動片部の外面側に形成されて後述のスリット８ｅに案内される凸状部，
７ｆは当該凸状部の上側（正立状態）の構成要素であって当該操作ボタンをステム３から取り外すときや連続作動モードに設定するとき（図１１，図１３参照）の各初期段階において後述の垂下状部８ｆに案内されるテーパ面，
７ｇは当該凸状部の下側（正立状態）の構成要素であってガス抜きモードにおける後述の係止端面８ｈに保持される略水平の被係止面、
８はマウンティングキャップ２の外端環状部分などに嵌合して操作ボタン７を保護するカバー体，
８ａはカバー体天面，
８ｂは正立状態の操作ボタン７の前方から上方，後方までの全体にわたる形の（境界部材なしの）単一の開口域，
８ｃはマウンティングキャップ２の上端部分と略同じ高さに設定された後側上面部，
８ｄは操作ボタン７の各側面部分（可動片部７ｄが形成された面部分）を囲む形の一対の内側壁状部，
８ｅは当該内側壁状部の下端から上端まで縦方向に形成されて操作ボタン７が通常の正立状態およびガス抜きモード設定用の倒立状態のいずれの場合にもその可動片部７ｄ（凸状部７ｅ）を案内する一対のスリット，
８ｆは当該スリットの上端側部分にカバー体天面８ａから続く態様で形成されて倒立状態の操作ボタン７の可動片部７ｄを仮止めする一対の垂下状部，
８ｇは当該垂下状部の下方連続部分であって倒立状態の操作ボタン７の可動片部７ｄをガス抜きモード位置に設定する一対の係止片部，
８ｈは当該係止片部の下端であってガス抜きモードの可動片部７ｄの被係止面７ｇを保持する係止端面，
をそれぞれ示している。
【００３６】
ここで、ステム３，操作ボタン４，７およびカバー体５，６，８などはポリプロピレン，ポリエチレン，ポリアセタール，ナイロン，ポリブチレンテレフタレートなどからなるプラスチック製のものである。
【００３７】
図１〜図６は、ガス抜きモード設定機構（その１：倒立・非反転状態の操作ボタンをカバー体に係合させるタイプ）を示す説明図である。
【００３８】
図１はエアゾール式製品の静止モードを示している。ここで操作ボタン４の操作面４ｃを押し下げると、ステム３がコイルスプリング（図示省略）の上方向への付勢力に抗しながら下動し、弁作用部（図示省略）が開状態となって作動モードに移行する。なお、このような静止モードから作動モードへの移行メカニズム自体は周知である。
【００３９】
その結果、容器本体の内容物は、ステム３−通路部分４ａ−噴射孔４ｂを経て外部空間に直接噴射される。利用者が押下げ操作を止めると、操作ボタン４およびステム３は上記コイルスプリングの付勢力により上方向に移動して静止モードの位置に復帰する。
【００４０】
通常の正立状態（静止モード，作動モード）における操作ボタン４の一対の被ガイド部４ｄはそれぞれ、内側筒状部５ｄの一対のスリット５ｅに案内される。
【００４１】
なお、図示していないが、操作ボタン４およびカバー体５の各部材を容器側に組みたてる前段階で一体化しておく場合などに、スリット５ｅにセットされた被ガイド部４ｄが下方に抜けないように仮保持するための突状部をスリット下部分に形成している。
【００４２】
図２は、ガス抜きモードへの移行に際し、先ずマウンティングキャップ２やステム３からカバー体５および操作ボタン４を取り外した状態を示している。
【００４３】
カバー体５を容器側から取り外すには、当該カバー体を上方にいわば引っ張ってマウンティングキャップ２との嵌合状態を解除すればよい。このとき、カバー体５と操作ボタン４との上記仮保持作用により、当該操作ボタンもいっしょに引っ張られてステム３から外れる。
【００４４】
その後、操作ボタン４を上記仮保持作用に抗する形でカバー体５から下方側に引き出すことにより、操作ボタン４とカバー体５とが別々になる。
【００４５】
なお、カバー体５をマウンティングキャップ２から取り外したときに操作ボタン４がまだステム３に取付けられたままになっている場合には、勿論、操作ボタン４を上方に引っ張ってステム３から取り外すことになる。
【００４６】
図３は、カバー体５のみを容器側（マウンティングキャップ２）に通常の態様で再嵌合させて、その上側の開口域５ｃから倒立・非反転状態の操作ボタン４を入れていく直前の状態（プリセット状態）を示している。
【００４７】
このときの操作ボタン４は、噴射孔４ｂがカバー体５の開口部５ｂの側に位置し、被ガイド部４ｄがカバー体５のスリット５ｅの上方対応部分に位置している。
【００４８】
図４は、図３の操作ボタン４をカバー体５の開口域５ｃに入れて仮止めした状態を示している。
【００４９】
このとき操作ボタン４の一対の被ガイド部４ｄは、それぞれがカバー体５の一対のスリット５ｅに案内され、かつ、それぞれの周面（の一部）がカバー体５の一対の垂下状部５ｆといわば弱く嵌合した形になっている。
【００５０】
すなわち倒立・非反転状態の操作ボタン４を、その被ガイド部４ｄとカバー体５のスリット５ｅとを合致させた態様で開口域５ｃから下方に入れていく初期段階で、その一対の被ガイド部４ｄがカバー体５の一対の垂下状部５ｆの内面部分と摩擦接触する。
【００５１】
そして、この操作ボタンの開口域５ｃからの下方への移動は係止片部５ｇとの接続部分でいったん止まる。これが図示の仮止め状態である。
【００５２】
図５および図６は、図４の操作ボタン仮止め状態のエアゾール式製品をガス抜きモードに設定した状態を示している。
【００５３】
すなわち、
・図４のエアゾール式製品の全体を上下逆にしてから、
・その下端部分となる操作ボタン４（の正立状態における下端側）を例えば地面や作業台などの平面部分に押し付けて、
・操作ボタン４を、その一対の被ガイド部４ｄがカバー体５の一対の係止片部５ｇに係合保持される位置まで移動させた、
状態である。
【００５４】
このガス抜きモードへの移行時、カバー体５の係止片部５ｇは、そのテーパ面５ｈと操作ボタン４の被ガイド部４ｄとの当接作用により自らの弾性に抗する形で外側へと変形し、被ガイド部４ｄがテーパ面５ｈを通過しきった時点で元の状態に弾性復帰する。
【００５５】
この弾性復帰により、操作ボタン４の一対の被ガイド部４ｄはそれぞれカバー体５の一対の係止面５ｊに確実に係合する。このとき被ガイド部４ｄがスリット５ｅに案内されているのは勿論である。
【００５６】
そして、この被ガイド部４ｄの係合状態のとき、図６で明示されるように、操作ボタン４のスロープ状の操作面４ｃがステム３の上端部（の一部分）に当接してこれを押し込んで、周知のバルブ機構を上述の作動モードと同様の状態に設定する。
【００５７】
そのためバルブ機構が「開」状態となり、容器本体１の残留ガスがステム３から流出する。この流出ガスは図６の矢印で示すようにカバー体５の前側の開口部５ｂや上側の開口域５ｃから外部空間へと噴射される。
【００５８】
なお、操作ボタン４の操作面４ｃと当接しているステム３からガスが流出できるのは、この操作面がスロープ状になっているためステム出力側の一部（＝高い操作面部分と対向する範囲）しか操作面４ｃと当接しない、すなわちステム出力側の全体が塞がれているのではないからである。
【００５９】
図５および図６で示すように、エアゾール式製品の全体を通常とは上下逆にして平面部分に起立させた状態は、ガス抜きモード設定後も操作ボタン４自体の下端縁部やカバー体５自体の上端縁部によって自己保持可能である。
【００６０】
図７〜図９はガス抜きモード設定機構（その２：倒立・反転状態の操作ボタンをカバー体に係合させるタイプ）を示す説明図であり、それぞれ図３，図５，図６に対応する。
【００６１】
このガス抜きモード設定機構と図１〜図６のそれとの相違点は、ガス抜きモード設定の際に「倒立・反転状態」、すなわち通常の使用時とは上下を逆にし、かつ前後方向も反転させた状態の操作ボタンを、カバー体に係合させることである。
【００６２】
具体的な構成上の違いはカバー体６のみであって、概略、
(11)スリット６ｅは、カバー体６の上端まで形成されていず、静止モード位置と作動モード位置との間で移動する正立状態の操作ボタン４の被ガイド部４ｄのみをガイドする、
(12)倒立状態の操作ボタン４に対するガス抜きモード設定用の仮止め機能および係合機能を備えた新たな溝状部６ｆ（上側凹状部６ｇ，突状部６ｈ，下側凹状部６ｊ）をカバー体６に形成した、
ことである。
【００６３】
図７は、図３と同じようにマウンティングキャップ２に再嵌合させたカバー体６に、倒立・反転状態の操作ボタン４をいわばプリセットした状態である。
【００６４】
このときの操作ボタン４は、噴射孔４ｂがカバー体６の開口部６ｂとは反対の側に位置し、被ガイド部４ｄがカバー体６の溝状部６ｆの上方対応部分に位置している。
【００６５】
その後、図４と同じように操作ボタン４をカバー体６の上側の開口域６ｃに入れて、その一対の被ガイド部４ｄがカバー体６の上側凹状部６ｇに仮止めされた状態にする。
【００６６】
その後、仮止め状態のエアゾール式製品の全体を上下逆にしてから、
・その下端部分となる操作ボタン４（の正立状態における下端側）を例えば地面や作業台などの平面部分に押し付けて、
・操作ボタン４を、その一対の被ガイド部４ｄがカバー体６の一対の突状部６ｈおよび下側凹状部６ｊに係合保持される位置まで移動させてガス抜きモードを設定する。
【００６７】
この被ガイド部４ｄが仮止め位置の上側凹状部６ｇから係合保持位置の下側凹状部６ｊまで移動する際、被ガイド部４ｄおよび突状部６ｈそれぞれの弾性に基づく相対的な変位作用により、被ガイド部４ｄは途中の突状部６ｈをいわば乗り越えていく。
【００６８】
図８および図９は、この操作ボタン４の移動後のガス抜きモードを示す説明図であり、それぞれ図５および図６に対応している。図８および図９は、ともに操作ボタン４のスロープ状の操作面４ｃでステム３を押圧してバルブ機構が開状態となった（単一の）ガス抜き状態を示しており、違った面の図となっている。図５および図６も同様である。
【００６９】
なお、図８，図９のガス抜きモードの場合、操作面４ｃの低面側（ガスがステム２から流出する側）がカバー体６の開口部６ｂの方となるので、容器内の残留ガスは当該開口部から外部空間へと自然な流れで噴射されやすい。
【００７０】
静止モード（図１参照）のエアゾール式製品を図５，図６や図８，図９のガス抜きモードに設定するときの手順は、例えば次のようになる。
(21)操作ボタン４およびカバー体５，６をそれぞれマウンティングキャップ２およびステム３から取り外す。なお、上述のように操作ボタン４がカバー体５，６に仮保持されるタイプの場合には操作ボタン（の下部）を下方に引っ張ってカバー体から分離する（図２参照）。
(22)カバー体５，６を通常の正立状態でマウンティングキャップ２に再嵌合させる（図３，図７参照）。
(23)倒立・非反転状態の操作ボタン４（図３参照）または倒立・反転状態の操作ボタン４（図７参照）をカバー体５，６の開口域５ｃ，６ｃに入れて仮止めする（図４参照）。すなわち、操作ボタン４の一対の被ガイド部４ｄをそれぞれカバー体５の垂下状部５ｆまたはカバー体６の上側凹状部６ｇに弱く嵌合させる。
(24)この仮止め状態のエアゾール式製品を、操作ボタン，カバー体側が下になるようにしてから地面や作業台などの平面部分に押し付け、操作ボタン４の一対の被ガイド部４ｄをそれぞれカバー体５の係止片部５ｇ（係止面５ｊ）やカバー体６の突状部６ｈに係合させる（図５，図８参照）。
【００７１】
なお、上記(22)の再嵌合に先立って、カバー体５，６をマウンティングキャップ２に対して上記(23)の仮止め作業を行う、すなわち操作ボタン付きの状態でカバー体５，６を再嵌合するようにしてもよい。
【００７２】
上記(24)の係合作業は、エアゾール式製品を通常の正立のまま、仮止め状態の操作ボタン４を下方に押し込む、すなわち図４の状態の操作ボタン４の上端側（＝操作面とは反対の部分）を利用者が押し込むようにしてもよい。
【００７３】
図１０〜図１５は、ガス抜きモード設定機構（その３：カバー体はマウンティングキャップに嵌合させたままで操作ボタンのみをステムから取り外し、これを倒立状態にしてカバー体に係合させるタイプ）を示す説明図である。
【００７４】
このガス抜きモード設定機構と図１〜図９のそれとの基本的な相違点は、
(31)操作ボタン７を上方に移動させてステム２から取り外すときおよび倒立状態の操作ボタン７をステム側に入れていくときのいずれの場合にも、カバー体８の係止片部８ｇおよび垂下片部８ｇに倣いながら自らの弾性に抗する形で内側へ変形する可動片部７ｄ，凸状部７ｅを、操作ボタン７に形成し、
(32)利用者が操作ボタン７を上方に移動させる際にこれを把持しやすくするため、静止モードにおける操作ボタン７の前方から上方，後方までにわたる連続した単一の空間域８ｂを形成し、また、カバー体８の後側上面部８ｃをいわば高さ「略０」にした、
ことなどである。
【００７５】
図１０の静止モードの操作ボタン７を押圧操作したときに容器本体１の内容物がステム３および操作ボタンの通路部分７ａを通って噴射孔７ｂから外部空間に噴射されることは勿論である。
【００７６】
図１１および図１２は、利用者が静止モードの操作ボタン７の前側部分および後側部分を把持してステム３から取り外す途中の状態を示している。当該前側部分および後側部分には積極的に凹凸を設けているので、把持した操作ボタン７は取り外す際にすべりにくくなっている。
【００７７】
このとき、操作ボタン７の一対の可動片部７ｄ（凸状部７ｅ）はそれぞれ、係止片部８ｇおよび垂下状部８ｆの内面部分に当接して、自ら（基部部分）の弾性に抗する形で内側へ変形した状態になっている。
【００７８】
なお、図１０の操作ボタン７を持上げてステム３から取り外す際に係止片部８ｇの下端部分と最初に当接するのは凸状部７ｅのテーパ面７ｆである。そのため可動片部７ｄの内側への変形動作もスムーズなものになる。
【００７９】
図１３は、この取り外し後の操作ボタン７を倒立・非反転に状態にしてからカバー体８に仮止めした状態を示している。
【００８０】
すなわち、この倒立・非反転状態の操作ボタン７をカバー体８の上方からその一対の内側壁状部８ｄの間に入れていき、操作ボタン７の可動片部７ｄ（凸状部７ｅ）の外端部分がカバー体８の垂下状部８ｆにいわば圧接した状態である。ステム３はまだ操作ボタン７の操作面７ｃで押圧されていない。
【００８１】
このときの操作ボタン７の可動片部７ｄは、図１１の場合と同じように自らの弾性に抗する形で内側へ変形している。
【００８２】
倒立・非反転状態の操作ボタン７をカバー体８の内側壁状部８ｄの間に入れていく際、先ずこの操作ボタンの凸状部７ｅをカバー体８のスリット８ｅの上端部分にセットする。
【００８３】
続いて操作ボタン７を押下げることになるが、このときも図１１の場合と同じように垂下状部８ｆの上端部分と最初に当接するのは凸状部７ｅのテーパ面７ｆである。そのため可動片部７ｄの内側への変形動作もスムーズなものになる。
【００８４】
図１４および図１５は、図１３の操作ボタン仮止め状態のエアゾール式製品をガス抜きモードに設定した状態を示している。
【００８５】
すなわち、
・図１３のエアゾール式製品の全体を上下逆にしてから、
・その下端部分となる操作ボタン７（の正立状態における下端側）を例えば地面や作業台などの平面部分に押し付けて、
・操作ボタン７を、その一対の可動片部７ｄ（凸状部７ｅ）がカバー体８の一対の係止片部８ｇ（係止端面８ｈ）に係合保持される位置まで移動させた、
状態である。
【００８６】
このガス抜きモードへの移行時、操作ボタン７の可動片部７ｄは、内側へ変形したままであって、その係止片部８ｇを通過しきった時点で元の状態に弾性復帰する。この弾性復帰により、一対の可動片部７ｄはそれぞれカバー体５８一対の係止端面８ｈに確実に係合する。このとき被凸状部７ｅはスリット８ｅに案内されている。
【００８７】
そして、この可動片部７ｄの係合状態のとき、図１５で明示されるように、操作ボタン７のスロープ状の操作面７ｃがステム３の上端部（の一部分）に当接してこれを押し込んで、周知のバルブ機構を上述の作動モードと同様の状態に設定する。
【００８８】
そのためバルブ機構が「開」状態となり、容器本体１の残留ガスがステム３から流出する。この流出ガスは図１５の矢印で示すようにカバー体８の開口域８ｂから外部空間へと噴射される。
【００８９】
なお、操作ボタン７の操作面７ｃと当接しているステム３からガスが流出できるのは、この操作面がスロープ状になっているためステム出力側の一部（＝高い操作面部分と対向する範囲）しか操作面７ｃと当接しないからである。
【００９０】
図１４および図１５で示すように、エアゾール式製品の全体を通常とは上下逆にして平面部分に起立させた状態は、ガス抜きモード設定後も操作ボタン７自体の下端縁部によって自己保持可能である。
【００９１】
このように、静止モード（図１０参照）のエアゾール式製品を図１４，図１５のガス抜きモードに設定するときの手順は、例えば次のようになる。
(41)操作ボタン７をステム３から取り外す（図１１，図１２参照）。
(42)倒立・非反転状態の操作ボタン７をカバー体８の内側壁状部８ｄの間に入れて仮止めする（図１３参照）。すなわち、操作ボタン７の一対の凸状部７ｅをそれぞれカバー体８垂下状部８ｆに弱く嵌合させる。
(43)この仮止め状態のエアゾール式製品を、操作ボタン，カバー体側が下になるようにしてから地面や作業台などの平面部分に押し付け、操作ボタン７の一対の被係止面７ｇをそれぞれカバー体８の係止端面８ｈに係合させる（図１４参照）。
【００９２】
上記(23)の係合作業は、エアゾール式製品を通常の正立のまま、仮止め状態の操作ボタン7を下方に押し込む、すなわち図１３の状態の操作ボタン７の上端側（＝操作面とは反対の部分）を利用者が押し込むようにしてもよい。
【００９３】
以上のガス抜きモード設定機構のそれぞれにおいて、操作ボタン４，７とカバー体５，６，８との上記係合状態（ガス抜きモード）では、操作ボタン４，７がステム付勢用の周知のコイルスプリング（図示省略）の作用により図５，図８，図１４の下方向に弾性力を受ける。そのため操作ボタン４，７の一対の被ガイド部４ｄや可動片部７ｄはそれぞれ、カバー体５の係止片部５ｇ（係止面５ｊ），カバー体６の突状部６ｈやカバー体８の係止端面８ｈに確実に係合する。
【００９４】
ガス抜きモードを解除するにはカバー体５，６，８をマウンティングキャップ２から取り外せばよい。
【００９５】
そして操作ボタン４，７をカバー体５，６，８から分離して、すなわちカバー体５，８の場合には操作ボタン４，７をカバー体の下方側に取り出し、カバー体６の場合には操作ボタン４をカバー体の上方側に取り出した後で、操作ボタン４，７を再度、静止モードの状態にセットすることもできる。
【００９６】
本発明が、図１〜図１５に係るガス抜き機構（連続作動モード設定機構）およびガス抜きモード設定方法（連続作動モード設定方法）に限定されないことは勿論である。
【００９７】
本発明の基本的特徴は、倒立状態の操作ボタンと通常の正立状態のカバー体との係合作用によりエアゾール式製品の連続作動モードを設定し、また、この連続作動モードの設定に先立って倒立状態の操作ボタンをカバー体に仮止めできる形にしたことである。
【００９８】
このように本発明は、ステムから取り外して上下逆にした状態でカバー体に係合させることができるタイプの操作ボタンを対象とするものであり、図示の上下動タイプの他、傾動タイプの操作ボタンなどにも適用可能である。
【００９９】
また、
(51)図５，図６，図８，図９のガス抜きモードにおいてカバー体５，６の上端縁部が載置対象の平面部分に当接しない態様を用いる、
(52)図１４，図１５のガス抜きモードにおいてカバー体８の上端縁部が載置対象の平面部分に当接する態様を用いる、
(53)操作ボタン４，７の操作面４ｃ，７ｃを図示のようなスロープ状ではなく、水平面状としてそこにガス通過用の溝部や孔部を設ける、
(54)操作ボタン４の被ガイド部４ｄと、カバー体５のスリット５ｅ，垂下状部５ｆ，係止片部５ｇやカバー体６のスリット６ｅ，溝状部６ｆと、の相対的な形状関係（凹凸関係など）を逆に設定する、
(55)図１０〜図１５のガス抜きモード設定機構の凸状部７ｅおよび係止端面８ｈに代えて、図７および図８の凸状部４ｄ，上側凹状部６ｇ，突状部６ｈ，下側凹状部６ｊと同様の係止手段を用いる、
(56)図１４，図１５のガス抜きモードを操作ボタンの倒立・反転状態で設定する、
ようにしてもよい。
【０１００】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【０１０１】
容器本体に収納する内容物は、例えば、粉状物，油成分，アルコール類，界面活性剤，高分子化合物，各用途に応じた有効成分などである。
【０１０２】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【０１０３】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【０１０４】
アルコール類としては、エタノールなどの１価の低級アルコール，ラウリルアルコールなどの１価の高級アルコール，エチレングリコールなどの多価アルコールなどを用いる。
【０１０５】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【０１０６】
高分子化合物としては、メチルセルロース，ゼラチン，デンプン，カゼインなどを用いる。
【０１０７】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【０１０８】
さらに、上記内容物以外の、懸濁剤，紫外線吸収剤，乳化剤，保湿剤，酸化防止剤、金属イオン封鎖剤なども用いることができる。
【０１０９】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【図面の簡単な説明】
【０１１０】
【図１】カバー体をマウンティングキャップのアンダーカット部分に嵌合させた状態の通常の静止モード（その１：操作ボタンの後面側）を示す説明図である。
【図２】図１のカバー体および操作ボタンを容器本体側（マウンティングキャップおよびステム）から取り外して別々にした段階を示す説明図である。
【図３】図２のカバー体をマウンティングキャップに再嵌合させて、操作ボタンを倒立・非反転状態に設定した段階（操作ボタンの側面側）を示す説明図である。
【図４】図３の操作ボタンをカバー体に仮止めした段階（操作ボタンの後面側）を示す説明図である。
【図５】図４の仮止め状態のエアゾール式製品を上下逆にして平らな地面などに押し付けたガス抜きモード（操作ボタンの後面側）を示す説明図である。
【図６】図５のガス抜きモードにおけるガスの噴射方向（操作ボタンの側面側）を示す説明図である。
【図７】図２のカバー体をマウンティングキャップに再嵌合させて、操作ボタンを倒立・反転状態に設定した段階（操作ボタンの側面側）を示す説明図である。
【図８】図７の設定段階に続く仮止め状態のエアゾール式製品（図示省略）を上下逆にして平らな地面などに押し付けたガス抜きモード（操作ボタンの前面側）を示す説明図である。
【図９】図８のガス抜きモードにおけるガスの噴射方向（操作ボタンの側面側）を示す説明図である。
【図１０】カバー体をマウンティングキャップのアンダーカット部分に嵌合させた状態の通常の静止モード（その２：操作ボタンの後面側）を示す説明図である。
【図１１】図１０の操作ボタンをステムから取り外す途中の段階（操作ボタンの後面側）を示す説明図である。
【図１２】図１０の操作ボタンをステムから取り外す途中の段階（操作ボタンの側面側）を示す説明図である。
【図１３】図１２の取り外し後の操作ボタンを倒立・非反転状態にしてカバー体に仮止めした段階（操作ボタンの後面側）を示す説明図である。
【図１４】図１３の仮止め状態のエアゾール式製品を上下逆にして平らな地面などに押し付けたガス抜きモード（操作ボタンの後面側）を示す説明図である。
【図１５】図１４のガス抜きモードにおけるガスの噴射方向（操作ボタンの側面側）を示す説明図である。
【符号の説明】
【０１１１】
１：エアゾール式製品の容器本体
２：マウンティングキャップ
３：ステム
４：操作ボタン（図１〜図９で使用）
４ａ：通路部分
４ｂ：噴射孔
４ｃ：操作面
４ｄ：一対の凸状の被ガイド部
５：カバー体（図１〜図６で使用）
５ａ：カバー体天面
５ｂ：前側の開口部
５ｃ：上側の開口域，
５ｄ：内側筒状部
５ｅ：一対のスリット
５ｆ：一対の垂下状部
５ｇ：一対の係止片部
５ｈ：テーパ面
５ｊ：係止面
６：カバー体（図７〜図９で使用）
６ａ：カバー体天面
６ｂ：前方の開口部
６ｃ：上側の開口域
６ｄ：内側筒状部
６ｅ：一対のスリット
６ｆ：溝状部
６ｇ：上側凹状部
６ｈ：突状部
６ｊ：下側凹状部
７：操作ボタン（図１０〜図１５で使用）
７ａ：通路部分
７ｂ：噴射孔
７ｃ：操作面
７ｄ：一対の可動片部
７ｅ：一対の凸状部
７ｆ：テーパ面
７ｇ：略水平の被係止面
８：カバー体（図１０〜図１５で使用）
８ａ：カバー体天面
８ｂ：単一の開口域
８ｃ：後側上面部
８ｄ：一対の内側壁状部
８ｅ：一対のスリット
８ｆ：一対の垂下状部
８ｇ：一対の係止片部
８ｈ：係止端面
【図１】
2007302338.tif 000003
【図２】
2007302338.tif 000004
【図３】
2007302338.tif 000005
【図４】
2007302338.tif 000006
【図５】
2007302338.tif 000007
【図６】
2007302338.tif 000008
【図７】
2007302338.tif 000009
【図８】
2007302338.tif 000010
【図９】
2007302338.tif 000011
【図１０】
2007302338.tif 000012
【図１１】
2007302338.tif 000013
【図１２】
2007302338.tif 000014
【図１３】
2007302338.tif 000015
【図１４】
2007302338.tif 000016
【図１５】
2007302338.tif 000017